(57)【要約】【課題】    エアコンプレッサの盗難を防止するのに有効な技術を提供することを目的とする。【解決手段】    電動モータ１１１を用いて吸気を圧縮し吐出する圧縮部１１３と、該圧縮部１１３から吐出される圧縮気体を貯蔵する圧縮気体貯蔵タンク１１５と、ＩＤコード入力部１１７と、駆動スイッチ１２３とを有し、駆動スイッチ１２３は、前記ＩＤコード入力部を介して作業者が入力したＩＤコードと、予め設定された設定ＩＤコードとの照合結果に基づいて作動されることを特徴とするエアコンプレッサ１０１。【選択図】        図２
2008157255.tif 000002
【特許請求の範囲】
【請求項１】
電動モータを用いて吸気を圧縮し吐出する圧縮部と、該圧縮部から吐出される圧縮気体を貯蔵する圧縮気体貯蔵タンクと、ＩＤコード入力部と、駆動スイッチとを有し、
前記駆動スイッチは、前記ＩＤコード入力部を介して作業者が入力した入力ＩＤコードと、予め設定された設定ＩＤコードとの照合結果に基づいて作動されることを特徴とするエアコンプレッサ。
【請求項２】
請求項１に記載のエアコンプレッサであって、
前記入力ＩＤコードは、作業者が携行可能なキーレスエントリー手段から無線によって入力されることを特徴とするエアコンプレッサ。
【請求項３】
電動モータを用いて吸気を圧縮し吐出する圧縮部と、該圧縮部から吐出される圧縮気体を貯蔵する圧縮気体貯蔵タンクと、駆動スイッチとを有するエアコンプレッサの使用方法であって、
作業者がＩＤコードを入力するステップと、
入力された前記ＩＤコードと、予め設定された設定ＩＤコードとの照合を行うステップと、
入力された前記ＩＤコードと設定ＩＤコードとが合致することにより前記駆動スイッチを作動するステップとを有することを特徴とするエアコンプレッサの使用方法。
【発明の詳細な説明】
【技術分野】
【０００１】
本発明は、エアコンプレッサの保安技術に関し、詳しくは作業者不在時においてもエアコンプレッサの盗難を防止するのに有効な技術に関する。
【背景技術】
【０００２】
エアコンプレッサは、例えばエア釘打機といったエア駆動式作業工具用の高圧エアの供給手段として作業現場等で広く用いられている。ところでエアコンプレッサは一般に２０Ｋｇから３０Ｋｇ程度の重量を有するので随時携行するのは困難であり、日数を要する作業に供する場合には常駐的に作業現場に置かれることが多い。
【０００３】
かかるエアコンプレッサは、中古市場が比較的発達しているとともに、上述のように作業現場に常駐的に置かれることが多いため、作業者不在時の盗難の頻度が比較的高い。
【発明の開示】
【発明が解決しようとする課題】
【０００４】
本発明は、かかる点に鑑みてなされたものであり、エアコンプレッサの盗難ないし不正使用を防止するのに有効な技術を提供することを目的とする。
【課題を解決するための手段】
【０００５】
上記課題を達成するため、各請求項記載の発明が構成される。
請求項１に記載の発明では、圧縮部と、圧縮気体貯蔵タンクと、ＩＤコード入力部と、駆動スイッチとをするエアコンプレッサが提供される。圧縮部は、電動モータを用いて吸気を圧縮し吐出する。また圧縮気体貯蔵タンクは、圧縮部から吐出される圧縮気体を貯蔵する。
【０００６】
駆動スイッチは、ＩＤコード入力部を介して作業者が入力した入力ＩＤコードと、予め設定された設定ＩＤコードとの照合結果に基づいて作動される。典型的には、作業者が入力した入力ＩＤコードが設定ＩＤコードと合致した場合にのみ駆動スイッチがオンされ、入力ＩＤコードが作業者によって入力されない場合、および入力されたものの設定ＩＤコードと合致しない場合には、駆動スイッチのオフ状態を維持するといった制御を行うのが好ましい。
【０００７】
本発明における「駆動スイッチ」としては、典型的にはエアコンプレッサの電源スイッチが該当する（オンされることによりエアコンプレッサを通電するスイッチ）。さらに駆動スイッチを、電動モータの駆動制御回路の通電スイッチ等によって構成しても良く、あるいは電動モータがインバータ駆動方式の場合には、駆動スイッチをインバータ・ドライバ回路の通電制御スイッチによって構成してもよい。
【０００８】
本発明におけるＩＤコード入力部については、暗証番号打ち込みによる入力形式、あるいは磁気カード・ＩＣカード・バーコード等を用いた読み込みによる入力形式などに適宜対応させることが可能である。
【０００９】
請求項１に記載の発明によれば、作業者による入力ＩＤコードと予め設定された設定ＩＤコードとの照合結果に基づいて駆動スイッチが作動されるため、作業者が正しいＩＤコードを入力しないとエアコンプレッサを駆動することができないという構成が設定可能である。従って作業者不在時のエアコンプレッサ盗難を防止し、あるいは意図しない不正な使用を防止するのに有効な技術が提供されることになる。
【００１０】
（請求項２に記載の発明）
請求項１に記載のエアコンプレッサの入力ＩＤコードにつき、作業者が携行可能なキーレスエントリー手段から無線によって入力する構成とするのが好ましい。このように構成すれば、作業者は入力ＩＤコードを記憶に留めておく必要がなく、また煩瑣な入力作業から開放されることになるので、一層利便性が向上することになる。
【００１１】
（請求項３に記載の発明）
請求項３に記載の発明によれば、電動モータを用いて吸気を圧縮し吐出する圧縮部と、該圧縮部から吐出される圧縮気体を貯蔵する圧縮気体貯蔵タンクと、駆動スイッチとを有するエアコンプレッサの使用方法が提供される。特に、作業者によって入力されたＩＤコードと、予め設定された設定ＩＤコードとの照合により、両者が合致することにより駆動スイッチが作動されるので、作業者が正しいＩＤコードを入力しないとエアコンプレッサを駆動することができないという使用方法が可能となる。
【発明の効果】
【００１２】
本発明によれば、作業者不在時のエアコンプレッサ盗難ないし不正使用を防止するのに有効な技術が提供されることとなった。
【発明を実施するための最良の形態】
【００１３】
以下、本発明の実施の形態につき、図面を参照しつつ説明する。
本実施の形態に係るエアコンプレッサ１０１は、例えばエア釘打機といったエア駆動式作業工具用の高圧エアの供給手段として用いられ、図１に示すように、電動モータ１１１、圧縮部１１３、圧縮気体貯蔵タンク１１５を有している。
【００１４】
圧縮部１１３は電動モータ１１１によって吸気を圧縮して吐出する。圧縮気体貯蔵タンク１１５は、圧縮部１１３から吐出される圧縮エアを貯蔵して作業工具に高圧エアを供給する。
【００１５】
さらに本実施の形態に係るエアコンプレッサ１０１は、図２のシステムブロック図に示すように、ＣＰＵ１３１、メモリ１３３、受信機１１７、スイッチ制御回路１２１および電源スイッチ１２３を有する。メモリ１３３は、ＲＯＭないしＲＡＭ等の記憶手段によって構成され、設定ＩＤコードを格納するとともにＣＰＵ１３１に接続されている。
【００１６】
受信機１１７は、ＣＰＵ１３１に接続されるとともに、作業者が携帯するキーレスエントリ手段１１９から発せられる無線による入力ＩＤコードを受信する。なお受信機１１７は、本発明におけるＩＤコード入力部に対応する要素である。
【００１７】
スイッチ制御回路１２１は、ＣＰＵ１３１および電源スイッチ１２３に接続されるとともに、ＩＤコード照合作業結果に基づいて電源スイッチ１２３のオンオフ状態の切替えを制御する。電源スイッチ１２３がオンされた場合には、エアコンプレッサ１０１への通電が行われ、オフされた場合にはエアコンプレッサ１０１への通電が遮断される。この電源スイッチ１２３は、本発明における「駆動スイッチ」の典型例に相当する。
【００１８】
次に本実施の形態の作用について説明する。
キーレスエントリ手段１１９を携行する作業者は、エアコンプレッサ１０１を使用するに際し、このキーレスエントリ手段１１９のＩＤコード発信ボタン（便宜上図示せず）を適宜操作し、エアコンプレッサ１０１の受信機１１７に向かってＩＤコードを無線で送信する。本実施の形態では、キーレスエントリ手段１１９を小型の無線発信機にて構成しているが、赤外線等を用いた発信機によって構成してもよい。一方、エアコンプレッサ１０１側では、受信機１１７が当該キーレスエントリ手段１１９が発信するＩＤコード信号を受信する。
【００１９】
作業者が、キーレスエントリ手段１１９を用い、入力ＩＤコードをエアコンプレッサ１０１側の受信機１１７に送信した場合の処理手順が図３に示される。
ステップＳ１において、受信機１１７が入力ＩＤコードを受信したと判断した場合（Ｓ１でＹＥＳと判断した場合）、図２に示すＣＰＵ１３１は、ステップＳ２において、メモリ１３３から設定ＩＤコードの読み込みを行う。なおステップＳ１で受信機１１７が入力ＩＤコードを受信していないと判断される場合には、入力ＩＤコードを受信したと判断されるまでステップＳ１の処理を繰り返す。
【００２０】
設定ＩＤコードの読み込みを行ったＣＰＵ１３１は、ステップＳ３において、受信機１１７によって受信された入力ＩＤコードと、メモリ１３３に格納された（予め設定された）設定ＩＤコードとが一致するか否かを照合判断する。なお入力ＩＤコードないし設定ＩＤコードの具体例として、１６ビットのＦ１２３（１１１１０００１００１０００１１）といった構成とするのが好ましい。
【００２１】
ステップＳ３において、入力ＩＤコードと設定ＩＤコードとが一致すると判断される場合、ステップＳ４においてＣＰＵ１３１はＩＤ一致信号を出力し、このＩＤ一致信号をステップＳ５においてスイッチ制御回路１２１が受信する。一方、ステップＳ３において入力ＩＤコードと設定ＩＤコードとが一致しないと判断される場合、ステップＳ１へ処理が戻される。換言すれば、「鍵」に相当する入力ＩＤコードが、「鍵穴」に相当する設定ＩＤコードに合致しない限り、エアコンプレッサ１０１を作動させることができない構成とされている。
【００２２】
さて、ＩＤ一致信号を受信したスイッチ制御回路１２１は、ステップＳ６において電源入力信号を出力し、ステップＳ７において電源スイッチ１２３が電源入力信号を受信する。電源スイッチ１２３は、受信した電源入力信号に基づきエアコンプレッサ１０１の電源スイッチ１２３をオンにする。これによりエアコンプレッサ１０１への通電が行われ、エアコンプレッサ１０１を使用することが可能になる。
【００２３】
本実施の形態に係るエアコンプレッサ１０１では、作業者による入力ＩＤコードと予め設定された設定ＩＤコードとの照合結果に基づいてエアコンプレッサ１０１の電源スイッチ１２３が作動されるので、作業者が正しいＩＤコードを入力しないとエアコンプレッサ１０１を使用することができない。これにより作業者不在時のエアコンプレッサ盗難を防止し、あるいは意図しない不正な使用を防止するのに有効な技術が提供されることとなった。さらに本実施の形態では、ＩＤコードの入力につき、作業者が携行可能なキーレスエントリー手段１１９から無線によって入力する構成としたため、作業者は入力ＩＤコードをいちいち記憶に留めておく必要がなく、また煩瑣な入力作業を行う必要がないため利便性において優れる。
【００２４】
本実施の形態では、ＩＤ一致信号の出力に基づいてエアコンプレッサ１０１の電源スイッチ１２３のオン・オフが制御されたが、これを電動モータ１１１の駆動制御回路のオン・オフ制御に代替してもよい。電動モータ１１１がインバータによって駆動される場合には、インバータ・ドライバ回路の駆動制御に代替してもよい。なお、単相インダクションと比較して機体重量の軽減が可能であり、低電圧時の起動特性が向上するといった利点により、インバータ駆動形式が採用される場合が多いので、この変更形態はとりわけ実用性が高い。いずれの場合であっても、正しいＩＤコードを入力しないとエアコンプレッサ１０１を実質的に運用することができないため、当該エアコンプレッサ１０１の不正使用を効果的に防止し、優れた防犯効果を奏することになる。
【００２５】
また作業者によるＩＤコードの入力形態につき、上記した実施の形態では、キーレスエントリ手段１１９と、このキーレスエントリ手段１１９から無線によって発せられる入力ＩＤコードを受信する受信機１１７とを用いて構成したが、これを適宜変更することが可能である。例えば、エアコンプレッサ１０１側にテンキーを設定し、当該テンキーを用いて作業者に暗証番号を入力させる形態（この場合には暗証番号が入力ＩＤコードに対応する）、あるいはエアコンプレッサ１０１側に磁気カード・ＩＣカードの読み取り機を設定し、これらのカードに記録されたＩＤコードを読み取らせる形態、あるいはエアコンプレッサ１０１側にバーコード読取機を設定し、作業者が示すバーコードを読み取ることによって入力ＩＤコードを得る形態など、様々なＩＤコードの入力形態が採用可能である。
【図面の簡単な説明】
【００２６】
【図１】本発明の実施の形態に係るエアコンプレッサの全体構成を示す。
【図２】本実施の形態に係るエアコンプレッサのシステムブロック図を示す。
【図３】本実施の形態における電源スイッチ入力の手順を示すフローチャートである。
【符号の説明】
【００２７】
１０１  エアコンプレッサ
１１１  電動モータ
１１３  圧縮部
１１５  圧縮気体貯蔵タンク
１１７  受信機（ＩＤコード入力部）
１１９  キーレスエントリ手段
１２１  スイッチ制御回路
１２３  電源スイッチ（駆動スイッチ）
１３１  ＣＰＵ
１３３  メモリ
【図１】
2008157255.tif 000003
【図２】
2008157255.tif 000004
【図３】
2008157255.tif 000005
【手続補正書】
【提出日】平成20年3月10日(2008.3.10)
【手続補正１】
【補正対象書類名】特許請求の範囲
【補正対象項目名】全文
【補正方法】変更
【補正の内容】
【特許請求の範囲】
【請求項１】
電動モータと、該電動モータによって空気を圧縮し吐出する圧縮部と、該圧縮部から吐出される圧縮エアを貯蔵して作業工具に高圧エアを供給する圧縮気体貯蔵タンクと、設定ＩＤコードを格納するメモリと、ＩＤコード入力部と、駆動スイッチとを有し、
前記駆動スイッチは、前記ＩＤコード入力部を介して作業者が入力した入力ＩＤコードと、前記メモリに格納された設定ＩＤコードとの照合結果に基づいて作動されることを特徴とするエアコンプレッサ。
【請求項２】
請求項１に記載のエアコンプレッサであって、
前記入力ＩＤコードは、作業者が携行可能なキーレスエントリー手段から無線によって入力されることを特徴とするエアコンプレッサ。
【請求項３】
電動モータを用いて吸気を圧縮し吐出する圧縮部と、該圧縮部から吐出される圧縮気体を貯蔵する圧縮気体貯蔵タンクと、駆動スイッチとを有するエアコンプレッサの使用方法であって、
作業者がＩＤコードを入力するステップと、
入力された前記ＩＤコードと、予め設定された設定ＩＤコードとの照合を行うステップと、
入力された前記ＩＤコードと設定ＩＤコードとが合致することにより前記駆動スイッチを作動するステップとを有することを特徴とするエアコンプレッサの使用方法。
【手続補正２】
【補正対象書類名】明細書
【補正対象項目名】全文
【補正方法】変更
【補正の内容】
【発明の詳細な説明】
【技術分野】
【０００１】
本発明は、エアコンプレッサの保安技術に関し、詳しくは作業者不在時においてもエアコンプレッサの盗難を防止するのに有効な技術に関する。
【背景技術】
【０００２】
エアコンプレッサは、例えばエア釘打機といったエア駆動式作業工具用の高圧エアの供給手段として作業現場等で広く用いられている。ところでエアコンプレッサは一般に２０Ｋｇから３０Ｋｇ程度の重量を有するので随時携行するのは困難であり、日数を要する作業に供する場合には常駐的に作業現場に置かれることが多い。
【０００３】
かかるエアコンプレッサは、中古市場が比較的発達しているとともに、上述のように作業現場に常駐的に置かれることが多いため、作業者不在時の盗難の頻度が比較的高い。
【発明の開示】
【発明が解決しようとする課題】
【０００４】
本発明は、かかる点に鑑みてなされたものであり、エアコンプレッサの盗難ないし不正使用を防止するのに有効な技術を提供することを目的とする。
【課題を解決するための手段】
【０００５】
上記課題を達成するため、各請求項記載の発明が構成される。
請求項１に記載の発明では、電動モータと、圧縮部と、圧縮気体貯蔵タンクと、メモリと、ＩＤコード入力部と、駆動スイッチとを有するエアコンプレッサが提供される。圧縮部は、電動モータによって空気を圧縮し吐出する。また圧縮気体貯蔵タンクは、圧縮部から吐出される圧縮エアを貯蔵して作業工具に高圧エアを供給する。
【０００６】
メモリは、設定ＩＤコードを格納する。駆動スイッチは、ＩＤコード入力部を介して作業者が入力した入力ＩＤコードと、メモリに格納された設定ＩＤコードとの照合結果に基づいて作動される。典型的には、作業者が入力した入力ＩＤコードが設定ＩＤコードと合致した場合にのみ駆動スイッチがオンされ、入力ＩＤコードが作業者によって入力されない場合、および入力されたものの設定ＩＤコードと合致しない場合には、駆動スイッチのオフ状態を維持するといった制御を行うのが好ましい。
【０００７】
本発明における「駆動スイッチ」としては、典型的にはエアコンプレッサの電源スイッチが該当する（オンされることによりエアコンプレッサを通電するスイッチ）。さらに駆動スイッチを、電動モータの駆動制御回路の通電スイッチ等によって構成しても良く、あるいは電動モータがインバータ駆動方式の場合には、駆動スイッチをインバータ・ドライバ回路の通電制御スイッチによって構成してもよい。
【０００８】
本発明におけるＩＤコード入力部については、暗証番号打ち込みによる入力形式、あるいは磁気カード・ＩＣカード・バーコード等を用いた読み込みによる入力形式などに適宜対応させることが可能である。
【０００９】
請求項１に記載の発明によれば、作業者による入力ＩＤコードとメモリに格納された設定ＩＤコードとの照合結果に基づいて駆動スイッチが作動されるため、作業者が正しいＩＤコードを入力しないとエアコンプレッサを駆動することができないという構成が設定可能である。従って作業者不在時のエアコンプレッサ盗難を防止し、あるいは意図しない不正な使用を防止するのに有効な技術が提供されることになる。
【００１０】
（請求項２に記載の発明）
請求項１に記載のエアコンプレッサの入力ＩＤコードにつき、作業者が携行可能なキーレスエントリー手段から無線によって入力する構成とするのが好ましい。このように構成すれば、作業者は入力ＩＤコードを記憶に留めておく必要がなく、また煩瑣な入力作業から開放されることになるので、一層利便性が向上することになる。
【００１１】
（請求項３に記載の発明）
請求項３に記載の発明によれば、電動モータを用いて吸気を圧縮し吐出する圧縮部と、該圧縮部から吐出される圧縮気体を貯蔵する圧縮気体貯蔵タンクと、駆動スイッチとを有するエアコンプレッサの使用方法が提供される。特に、作業者によって入力されたＩＤコードと、予め設定された設定ＩＤコードとの照合により、両者が合致することにより駆動スイッチが作動されるので、作業者が正しいＩＤコードを入力しないとエアコンプレッサを駆動することができないという使用方法が可能となる。
【発明の効果】
【００１２】
本発明によれば、作業者不在時のエアコンプレッサ盗難ないし不正使用を防止するのに有効な技術が提供されることとなった。
【発明を実施するための最良の形態】
【００１３】
以下、本発明の実施の形態につき、図面を参照しつつ説明する。
本実施の形態に係るエアコンプレッサ１０１は、例えばエア釘打機といったエア駆動式作業工具用の高圧エアの供給手段として用いられ、図１に示すように、電動モータ１１１、圧縮部１１３、圧縮気体貯蔵タンク１１５を有している。
【００１４】
圧縮部１１３は電動モータ１１１によって吸気を圧縮して吐出する。圧縮気体貯蔵タンク１１５は、圧縮部１１３から吐出される圧縮エアを貯蔵して作業工具に高圧エアを供給する。
【００１５】
さらに本実施の形態に係るエアコンプレッサ１０１は、図２のシステムブロック図に示すように、ＣＰＵ１３１、メモリ１３３、受信機１１７、スイッチ制御回路１２１および電源スイッチ１２３を有する。メモリ１３３は、ＲＯＭないしＲＡＭ等の記憶手段によって構成され、設定ＩＤコードを格納するとともにＣＰＵ１３１に接続されている。
【００１６】
受信機１１７は、ＣＰＵ１３１に接続されるとともに、作業者が携帯するキーレスエントリ手段１１９から発せられる無線による入力ＩＤコードを受信する。なお受信機１１７は、本発明におけるＩＤコード入力部に対応する要素である。
【００１７】
スイッチ制御回路１２１は、ＣＰＵ１３１および電源スイッチ１２３に接続されるとともに、ＩＤコード照合作業結果に基づいて電源スイッチ１２３のオンオフ状態の切替えを制御する。電源スイッチ１２３がオンされた場合には、エアコンプレッサ１０１への通電が行われ、オフされた場合にはエアコンプレッサ１０１への通電が遮断される。この電源スイッチ１２３は、本発明における「駆動スイッチ」の典型例に相当する。
【００１８】
次に本実施の形態の作用について説明する。
キーレスエントリ手段１１９を携行する作業者は、エアコンプレッサ１０１を使用するに際し、このキーレスエントリ手段１１９のＩＤコード発信ボタン（便宜上図示せず）を適宜操作し、エアコンプレッサ１０１の受信機１１７に向かってＩＤコードを無線で送信する。本実施の形態では、キーレスエントリ手段１１９を小型の無線発信機にて構成しているが、赤外線等を用いた発信機によって構成してもよい。一方、エアコンプレッサ１０１側では、受信機１１７が当該キーレスエントリ手段１１９が発信するＩＤコード信号を受信する。
【００１９】
作業者が、キーレスエントリ手段１１９を用い、入力ＩＤコードをエアコンプレッサ１０１側の受信機１１７に送信した場合の処理手順が図３に示される。
ステップＳ１において、受信機１１７が入力ＩＤコードを受信したと判断した場合（Ｓ１でＹＥＳと判断した場合）、図２に示すＣＰＵ１３１は、ステップＳ２において、メモリ１３３から設定ＩＤコードの読み込みを行う。なおステップＳ１で受信機１１７が入力ＩＤコードを受信していないと判断される場合には、入力ＩＤコードを受信したと判断されるまでステップＳ１の処理を繰り返す。
【００２０】
設定ＩＤコードの読み込みを行ったＣＰＵ１３１は、ステップＳ３において、受信機１１７によって受信された入力ＩＤコードと、メモリ１３３に格納された（予め設定された）設定ＩＤコードとが一致するか否かを照合判断する。なお入力ＩＤコードないし設定ＩＤコードの具体例として、１６ビットのＦ１２３（１１１１０００１００１０００１１）といった構成とするのが好ましい。
【００２１】
ステップＳ３において、入力ＩＤコードと設定ＩＤコードとが一致すると判断される場合、ステップＳ４においてＣＰＵ１３１はＩＤ一致信号を出力し、このＩＤ一致信号をステップＳ５においてスイッチ制御回路１２１が受信する。一方、ステップＳ３において入力ＩＤコードと設定ＩＤコードとが一致しないと判断される場合、ステップＳ１へ処理が戻される。換言すれば、「鍵」に相当する入力ＩＤコードが、「鍵穴」に相当する設定ＩＤコードに合致しない限り、エアコンプレッサ１０１を作動させることができない構成とされている。
【００２２】
さて、ＩＤ一致信号を受信したスイッチ制御回路１２１は、ステップＳ６において電源入力信号を出力し、ステップＳ７において電源スイッチ１２３が電源入力信号を受信する。電源スイッチ１２３は、受信した電源入力信号に基づきエアコンプレッサ１０１の電源スイッチ１２３をオンにする。これによりエアコンプレッサ１０１への通電が行われ、エアコンプレッサ１０１を使用することが可能になる。
【００２３】
本実施の形態に係るエアコンプレッサ１０１では、作業者による入力ＩＤコードと予め設定された設定ＩＤコードとの照合結果に基づいてエアコンプレッサ１０１の電源スイッチ１２３が作動されるので、作業者が正しいＩＤコードを入力しないとエアコンプレッサ１０１を使用することができない。これにより作業者不在時のエアコンプレッサ盗難を防止し、あるいは意図しない不正な使用を防止するのに有効な技術が提供されることとなった。さらに本実施の形態では、ＩＤコードの入力につき、作業者が携行可能なキーレスエントリー手段１１９から無線によって入力する構成としたため、作業者は入力ＩＤコードをいちいち記憶に留めておく必要がなく、また煩瑣な入力作業を行う必要がないため利便性において優れる。
【００２４】
本実施の形態では、ＩＤ一致信号の出力に基づいてエアコンプレッサ１０１の電源スイッチ１２３のオン・オフが制御されたが、これを電動モータ１１１の駆動制御回路のオン・オフ制御に代替してもよい。電動モータ１１１がインバータによって駆動される場合には、インバータ・ドライバ回路の駆動制御に代替してもよい。なお、単相インダクションと比較して機体重量の軽減が可能であり、低電圧時の起動特性が向上するといった利点により、インバータ駆動形式が採用される場合が多いので、この変更形態はとりわけ実用性が高い。いずれの場合であっても、正しいＩＤコードを入力しないとエアコンプレッサ１０１を実質的に運用することができないため、当該エアコンプレッサ１０１の不正使用を効果的に防止し、優れた防犯効果を奏することになる。
【００２５】
また作業者によるＩＤコードの入力形態につき、上記した実施の形態では、キーレスエントリ手段１１９と、このキーレスエントリ手段１１９から無線によって発せられる入力ＩＤコードを受信する受信機１１７とを用いて構成したが、これを適宜変更することが可能である。例えば、エアコンプレッサ１０１側にテンキーを設定し、当該テンキーを用いて作業者に暗証番号を入力させる形態（この場合には暗証番号が入力ＩＤコードに対応する）、あるいはエアコンプレッサ１０１側に磁気カード・ＩＣカードの読み取り機を設定し、これらのカードに記録されたＩＤコードを読み取らせる形態、あるいはエアコンプレッサ１０１側にバーコード読取機を設定し、作業者が示すバーコードを読み取ることによって入力ＩＤコードを得る形態など、様々なＩＤコードの入力形態が採用可能である。
【図面の簡単な説明】
【００２６】
【図１】本発明の実施の形態に係るエアコンプレッサの全体構成を示す。
【図２】本実施の形態に係るエアコンプレッサのシステムブロック図を示す。
【図３】本実施の形態における電源スイッチ入力の手順を示すフローチャートである。
【符号の説明】
【００２７】
１０１  エアコンプレッサ
１１１  電動モータ
１１３  圧縮部
１１５  圧縮気体貯蔵タンク
１１７  受信機（ＩＤコード入力部）
１１９  キーレスエントリ手段
１２１  スイッチ制御回路
１２３  電源スイッチ（駆動スイッチ）
１３１  ＣＰＵ
１３３  メモリ